(57)【要約】【課題】簡単な構造で容易に折りたためて固定できるスタンドを有することによって梱包箱のサイズを小さくでき輸送効率を向上させることができる表示装置を提供することである。【解決手段】表示装置１０は、表示部１１と、表示部１１を立設させるスタンド１２と、表示部１１とスタンド１２とを回動可能に支持するヒンジ部１３とを備え、ヒンジ部１３は、２つの孔１６ｃ、１６ｄが形成されスタンド１２に固定されるスタンド固定板１６ａと、スタンド１２の回動軸方向に動くロック軸１９を有するシャフト１８ａが取り付けられ表示部１１に固定される表示部固定板１７とを備え、シャフト１８ａが押されることによりロック軸１９が孔１６ｃ、１６ｄから離脱する構成とする。【選択図】図１
2007293151.tif 000002
【特許請求の範囲】
【請求項１】
表示部と、該表示部を立設させるスタンドと、前記表示部と前記スタンドとを回動可能に支持するヒンジ部とを備えた表示装置において、
前記ヒンジ部は、２つの孔が形成され前記スタンドに固定されるスタンド固定板と、前記スタンドの回動軸方向に動くロック軸を有するシャフトが取り付けられ前記表示部に固定される表示部固定板とを備え、前記孔に前記ロック軸が挿脱し、
前記シャフトの外周には前記シャフトが押されることにより縮むスプリングが設けられ、
前記スタンドと前記ヒンジ部の一部とが樹脂製のカバーで覆われ、該カバーに前記シャフトを押すための穴が形成され、前記シャフトの先端が該穴よりも内側に位置し、
前記シャフトが押されることにより前記ロック軸が前記孔から離脱することを特徴とする表示装置。
【請求項２】
表示部と、該表示部を立設させるスタンドと、前記表示部と前記スタンドとを回動可能に支持するヒンジ部とを備えた表示装置において、
前記スタンドを使用状態と折り畳んだ状態とで固定するロック機構を設けたことを特徴とする表示装置。
【請求項３】
前記ヒンジ部は、複数の孔が形成され前記スタンドに固定されるスタンド固定板と、前記スタンドの回動軸方向に動くロック軸を有するシャフトが取り付けられ前記表示部に固定される表示部固定板とを備え、
前記ロック機構として、前記孔に前記ロック軸が挿脱することを特徴とする請求項２記載の表示装置。
【請求項４】
前記シャフトが押されることにより前記ロック軸が前記孔から離脱することを特徴とする請求項３記載の表示装置。
【請求項５】
前記シャフトが引かれることにより前記ロック軸が前記孔から離脱することを特徴とする請求項３記載の表示装置。
【発明の詳細な説明】
【技術分野】
【０００１】
本発明は、表示部と、該表示部を立設させるスタンドと、前記表示部と前記スタンドとを回動可能に支持するヒンジ部とを備えた表示装置に関する。
【背景技術】
【０００２】
近年、液晶テレビやプラズマテレビなどの薄型の表示装置が急速に普及している。この薄型の表示装置は壁に掛けて使用することもできるが、ほとんどはスタンドを用いて台上に載置されている。従って薄型の表示装置にはスタンドが必須であるといえ、通常、薄型の表示装置にはスタンドが取り付けられた状態で販売されている。
【０００３】
ところで、画面の薄型化が向上すると、表示装置に占めるスタンドの割合が大きくなる。また、スタンドは画面の角度を調整できるように工夫されている。このような表示装置を運搬のために梱包する場合、箱のサイズを小さくして輸送効率を向上させるためには、スタンドを取り外す必要があった。
【０００４】
しかし、スタンドを取り外したり、取り付けたりする作業には時間が掛かり、使い勝手が悪かった。そこで、スタンドを折りたためるようにし、折りたたんだ状態で梱包することにより、箱のサイズを小さくして輸送効率を向上させることが提案されている（特許文献１、特許文献２参照）。
【特許文献１】特開２００５−１４０８０７号公報
【特許文献２】特開２０００−５６６９５号公報
【発明の開示】
【発明が解決しようとする課題】
【０００５】
特許文献１では、スタンドベースを前上方に９０度回動させて梱包容積を小さくしているが、その状態でスタンドベースを固定する構造となっていないため、梱包箱に出し入れする際などにスタンドベースが意図せずに回動してしまうおそれがあり、事故の原因となるので取り扱いに注意が必要である。
【０００６】
また特許文献２では、スタンド本体に前方載置台と後方載置台という２つの部品を回動させることにより折りたたむようになっているため、構造が複雑でコストも掛かる。
【０００７】
このように、従来提案されている表示装置のスタンドの折りたたみ構造には種々の問題点があった。
【０００８】
本発明は、簡単な構造で容易に折りたためて固定できるスタンドを有することによって梱包箱のサイズを小さくでき輸送効率を向上させることができる表示装置を提供することを目的とする。
【課題を解決するための手段】
【０００９】
上記目的を達成するために本発明は、表示部と、該表示部を立設させるスタンドと、前記表示部と前記スタンドとを回動可能に支持するヒンジ部とを備えた表示装置において、
前記スタンドを使用状態と折り畳んだ状態とで固定するロック機構を設けたことを特徴とする。
【００１０】
また前記ヒンジ部は、複数の孔が形成され前記スタンドに固定されるスタンド固定板と、前記スタンドの回動軸方向に動くロック軸を有するシャフトが取り付けられ前記表示部に固定される表示部固定板とを備え、
前記ロック機構として、前記孔に前記ロック軸が挿脱することを特徴とする。
【００１１】
また前記シャフトが押されることにより前記ロック軸が前記孔から離脱することを特徴とする。
【００１２】
また前記シャフトが引かれることにより前記ロック軸が前記孔から離脱するようにしてもよい。
【００１３】
本発明を具体化すると、表示部と、該表示部を立設させるスタンドと、前記表示部と前記スタンドとを回動可能に支持するヒンジ部とを備えた表示装置において、
前記ヒンジ部は、２つの孔が形成され前記スタンドに固定されるスタンド固定板と、前記スタンドの回動軸方向に動くロック軸を有するシャフトが取り付けられ前記表示部に固定される表示部固定板とを備え、前記孔に前記ロック軸が挿脱し、
前記シャフトの外周には前記シャフトが押されることにより縮むスプリングが設けられ、
前記スタンドと前記ヒンジ部の一部とが樹脂製のカバーで覆われ、該カバーに前記シャフトを押すための穴が形成され、前記シャフトの先端が該穴よりも内側に位置し、
前記シャフトが押されることにより前記ロック軸が前記孔から離脱する構成となる。
【発明の効果】
【００１４】
本発明によれば、ロック機構を設けることによりスタンドを折り畳んだ状態でロックできるので、梱包箱のサイズを小さくでき輸送効率を向上させることができるとともに、梱包箱に出し入れする際などにスタンドが意図せずに回動してしまうおそれがない。また、ロック機構として、スタンド固定板に形成された孔にロック軸が挿脱する構成とすることにより、簡単な構成でロック機構を実現することができる。
【発明を実施するための最良の形態】
【００１５】
図１はスタンドを使用状態にした表示装置の側面透過図、図２はスタンドを折り畳んだ状態にした表示装置の側面透過図、図３は使用状態にしたスタンド及びヒンジ部の正面透過図、図４は図３においてシャフトが押された状態の図である。
【００１６】
表示装置１０は大まかに、表示部１１と、表示部１１を立設させるスタンド１２と、表示部１１とスタンド１２とを回動可能に支持するヒンジ部１３とから構成される。そして、スタンド１２及び一部のヒンジ部１３は樹脂製のカバー１４で覆われている。
【００１７】
表示部１１としては、液晶表示装置など薄型のものが好適に用いられる。表示部１１がスタンド１２の奥行きよりも薄ければ、スタンドを折り畳んだ際に表示装置１０の奥行きが小さくなるので本発明の効果が得られる。
【００１８】
スタンド１２は、表示装置１０の土台となる板状のベース１５からなる。ベース１５は金属の板金により作製することができる。
【００１９】
ヒンジ部１３は、ベース１５に固定されベース１５から垂直に切り立つ２枚のスタンド固定板１６ａ、１６ｂと、表示部１１の背面に固定される表示部固定板１７とを備えている。これらスタンド固定板１６ａ、１６ｂと表示部固定板１７とは金属の板金により作製することができる。スタンド固定板１６ａ、１６ｂはベース１５を切り起こして作製してもよいし、別部材としておき接着やネジ止めによりベース１５に固定してもよい。また表示部固定板１７はネジ止めにより表示部１１に固定することができる。
【００２０】
表示部固定板１７は２本の足１７ａ、１７ｂを有し、この足１７ａ、１７ｂはそれぞれスタンド固定板１６ａ、１６ｂの外側に重なるように形成されている。その重なる部分には、表示部固定板１７及びスタンド固定板１６ａ、１６ｂを貫通する穴が形成され、それぞれに金属製のシャフト１８ａ、１８ｂが通されている。このシャフト１８ａ、１８ｂを軸として表示部固定板１７とスタンド固定板１６ａ、１６ｂとが回動する。その結果、表示部１１に対してスタンド１２を使用状態としたり折り畳んだ状態としたりすることができる。
【００２１】
また、スタンド固定板１６ａには、後述するロック軸１９を挿入することができる程度の大きさの２つの孔１６ｃ、１６ｄが形成されている。２つの孔１６ｃ、１６ｄは、シャフト１８ａの回転軸を中心に互いに９０°ずれた位置に形成されている。スタンド１２が使用状態のときに、孔１６ｃはシャフト１８ａの上方に位置し、孔１６ｄはシャフト１８ｂの水平方向に位置する。そしてスタンド１２の使用状態では孔１６ｃにロック軸１９が挿入された状態となってスタンド１２をロックし、一方、スタンド１２を折り畳んだ状態では孔１６ｄにロック軸１９が挿入された状態となってスタンド１２をロックする。なお、孔１６ｃ、１６ｄは切り欠きであっても構わない。
【００２２】
シャフト１８ａには、スタンド固定板１６ａの内側部分にロック軸１９が設けられている。ロック軸１９は断面がＬ字型の突出した軸であり、突出した軸はシャフト１８ａと平行に外側に向かって延びており、その先端がスタンド固定板１６ａの孔１６ｃ又は１６ｄに挿脱可能となっている。このロック軸１９は金属製とすることが好ましく、シャフト１８ａと一体に成型してもよいし、別部材としておきシャフト１８ａに固定してもよい。
【００２３】
またシャフト１８aの外周にはシャフトが押されることにより縮むスプリング２０が設けられている。スプリング２０は表示部固定板１７の足１７ａの外側に配置される。また、シャフト１８aの外周には適切な場所に複数のワッシャも設けられている。他方、シャフト１８ｂは単純にナットなどの固定手段で固定されているだけである。
【００２４】
また、スタンド１２及びヒンジ部１３を覆うカバー１４には、シャフト１８ａを押すための穴１４ａが形成されている。そしてシャフト１８ａの先端は穴１４ａと面一かそれよりも内側に位置している。これにより、使用中に誤ってシャフト１８ａを押してしまい表示部１１が倒れることを防止している。
【００２５】
なお、スタンド１２は折り畳むのに十分な高さが必要であり、折り畳むのに最低限の高さに設計すれば、折り畳んだときに表示装置１０全体の容積が最も小さくなり、梱包箱の厚みを最小限にすることができる。
【００２６】
このような表示装置１０において、スタンド１２を図１の状態から図２の状態へ折り畳む場合の操作について説明する。まず、図１ように使用状態にある表示装置１０では孔１６ｃにロック軸１９が挿入された状態となっており、スタンド１２がロックされている。この状態で図３のように外部から棒３０により穴１４ａを通じてシャフト１８ａを押すと、スプリング２０が縮むとともに、孔１６ｃに挿入されていたロック軸１９の先端が孔１６ｃから離脱する（図４の状態）。これによりロックが解除される。
【００２７】
そしてシャフト１８ａを棒３０で押した状態のままスタンド１２を表示部１１の背面側へ９０°回動させて折り畳む。その後、棒３０を離すと、スプリング２０の復元力によりシャフト１８ａが押し戻され、孔１６ｄにロック軸１９の先端が挿入される（図２の状態）。これによりスタンドを折り畳んだ状態でロックされる。逆にスタンドを折り畳んだ状態（図２の状態）から使用状態（図１の状態）にするには、上記の操作を逆に行えばよい。
【００２８】
次に、他の実施形態について説明する。図５は他の実施形態の使用状態にしたスタンド及びヒンジ部の正面透過図、図６は図５においてシャフトが押された状態の図である。上述の実施形態と同種の部材については同符号を付してその詳細な説明を省略する。なお、表示装置全体の側面図は図１、図２と同様であるので省略する。
【００２９】
本実施形態が上述の実施形態と異なる部分は、シャフト１８ａ、ロック軸１９、スプリング２０の構成であり、シャフト１８ａを引くことによりロックが解除される機構となっている。
【００３０】
具体的には、シャフト１８ａには、表示部固定板１７の足１７ａの外側部分にロック軸１９が設けられている。ロック軸１９は断面がＬ字型の突出した軸であり、突出した軸はシャフト１８ａと平行に内側に向かって延びており、その先端がスタンド固定板１６ａの孔１６ｃ又は１６ｄに挿脱可能となっている。このロック軸１９は金属製とすることが好ましく、シャフト１８ａと一体に成型してもよいし、別部材としておきシャフト１８ａに固定してもよい。
【００３１】
またシャフト１８aの外周にはシャフトが引かれることにより縮むスプリング２０が設けられている。スプリング２０はスタンド固定板１６ａの内側に配置される。また、シャフト１８aの外周には適切な場所に複数のワッシャも設けられている。
【００３２】
また、スタンド１２及びヒンジ部１３を覆うカバー１４には、シャフト１８ａを引くための穴１４ａが形成されている。そしてシャフト１８ａの先端は穴１４ａから外側に向けて突出している。
【００３３】
このような表示装置１０において、スタンド１２を図１の状態から図２の状態へ折り畳む場合、まず図５の状態のシャフト１８ａを外側に引く。すると、スプリング２０が縮むとともに、孔１６ｃに挿入されていたロック軸１９の先端が孔１６ｃから離脱する（図６の状態）。これによりロックが解除される。
【００３４】
そしてシャフト１８ａを引いた状態のままスタンド１２を表示部１１の背面側へ９０°回動させて折り畳む。その後、シャフト１８ａを離すと、スプリング２０の復元力によりシャフト１８ａが押し戻され、孔１６ｄにロック軸１９の先端が挿入される（図２の状態）。これによりスタンドを折り畳んだ状態でロックされる。逆にスタンドを折り畳んだ状態（図２の状態）から使用状態（図１の状態）にするには、上記の操作を逆に行えばよい。
【００３５】
以上のように、ロック機構を設けることによりスタンドを折り畳んだ状態でロックできるので、梱包箱のサイズを小さくでき輸送効率を向上させることができるとともに、梱包箱に出し入れする際などにスタンドが意図せずに回動してしまうおそれがない。また、ロック機構として、スタンド固定板１６ａに形成された２つの孔１６ｃ、１６ｄにロック軸１９が挿脱する構成とすることにより、簡単な構成でロック機構を実現することができる。
【産業上の利用可能性】
【００３６】
本発明の表示装置は、液晶表示装置などの薄型の表示部とそれを支持するスタンドを備えた表示装置に好適に利用することができる。
【図面の簡単な説明】
【００３７】
【図１】スタンドを使用状態にした表示装置の側面透過図である。
【図２】スタンドを折り畳んだ状態にした表示装置の側面透過図である。
【図３】使用状態にしたスタンド及びヒンジ部の正面透過図である。
【図４】図３においてシャフトが押された状態の図である。
【図５】他の実施形態の使用状態にしたスタンド及びヒンジ部の正面透過図である。
【図６】図５においてシャフトが押された状態の図である。
【符号の説明】
【００３８】
１０    表示装置
１１    表示部
１２    スタンド
１３    ヒンジ部
１４    カバー
１６ａ、１６ｂ    スタンド固定板
１６ｃ、１６ｄ    孔
１７    表示部固定板
１８ａ、１８ｂ    シャフト
１９    ロック軸
２０    スプリング
【図１】
2007293151.tif 000003
【図２】
2007293151.tif 000004
【図３】
2007293151.tif 000005
【図４】
2007293151.tif 000006
【図５】
2007293151.tif 000007
【図６】
2007293151.tif 000008